(57)【要約】【課題】使用状況に応じた放熱手段を選択して効率良く放熱を行うことができるレンズユニットを提供する。【解決手段】レンズユニット４には、放熱ユニット５が装着される。放熱ユニット５は、放熱フィン６ａを有する放熱部材６及びＩＣタグ７からなる。レンズユニット４は、その内部に撮影レンズ３０、ズームレンズ機構３１、フォーカスレンズ機構３２、ＣＣＤ３３、ＩＣタグリーダ３５などが組み込まれている。放熱ユニット５がレンズユニット４に装着されているとき、ＩＣタグ７に書き込まれている放熱ユニット５の情報をＩＣタグリーダ３５によって読み取る。ＩＣタグリーダ３５によって読み取られた情報に基づいてズームレンズ機構３１、フォーカスレンズ機構３２などの駆動速度が切り替えられる。【選択図】        図３
2006352668.tif 000002
【特許請求の範囲】
【請求項１】
撮影レンズ、各種機構を駆動するための電子部品、及びこれらを内蔵するレンズ鏡筒とを備え、カメラボディに着脱自在に取り付けられるレンズユニットにおいて、
前記レンズ鏡筒に対して交換可能に装着される放熱手段と、この放熱手段に関する情報を識別可能な識別手段とを設けたことを特徴とするレンズユニット。
【請求項２】
前記識別手段は、前記放熱手段に設けられた記憶媒体から情報を読み取る読取手段であることを特徴とする請求項１記載のレンズユニット。
【請求項３】
前記識別手段は、前記放熱手段に形成された開口部を検出する光電センサであることを特徴とする請求項１記載のレンズユニット。
【請求項４】
前記識別手段は、前記放熱手段に設けられたバーコードを読み取る読取手段であることを特徴とする請求項１記載のレンズユニット。
【請求項５】
請求項１〜４に記載の放熱手段及びレンズユニットと、このレンズユニットを着脱自在とするカメラボディとを備えたことを特徴とするデジタルカメラ。
【請求項６】
前記識別手段によって識別した前記放熱手段の情報に基づいて前記レンズユニットに組み込まれた電子部品の駆動速度を切り替える制御手段を設けたことを特徴とする請求項５記載のデジタルカメラ。
【発明の詳細な説明】
【技術分野】
【０００１】
本発明は、レンズユニット及びデジタルカメラに関する。
【背景技術】
【０００２】
近年、ＣＣＤなどの撮像素子を用いて撮像した撮影画像をデジタルの画像データに変換し、内蔵メモリやメモリカードなどの記録媒体に記録するデジタルカメラが普及している。デジタルカメラの中には、撮影レンズがカメラボディに一体化された一体型のものと、各種撮影レンズがカメラボディに着脱可能にされたレンズ交換型のものとがある。
【０００３】
最近では、撮像素子の小型化、画素数の増加が進んできていることから、レンズ交換型のデジタルカメラの新しい構成として、撮像素子を交換用のレンズユニット側に組み込むことが検討されている。これによって、レンズユニットとカメラボディとを光学的に接続する必要がなくなる。さらに、撮影レンズの駆動機構や撮像素子を駆動させるための駆動回路なども交換レンズ側に内蔵することによって、レンズユニット側とカメラボディ側との通信は、電気的な信号を送るための電気接点を介した接続だけでよいため、構造を比較的簡易にすることができるという利点を得ることができる。
【０００４】
上述したような交換用のレンズユニットでは、撮像素子の画素数の増加及び画素の高密度化が進んできていることから、高い発熱温度が問題となってきており、この撮像素子や各種機構の駆動回路から発生する熱も、レンズユニット内の温度上昇の一因となっている。そこで、このようなレンズユニットやデジタルカメラの各部を冷却・放熱するための構成が特許文献１〜５に記載されている。
【０００５】
特許文献１に記載されているカメラでは、カメラ本体ケースに空気吸入口と、空気排出口と、空気排出ファンとを設けており、空気排出ファンを作動させることによって冷たい外気をカメラ本体内に吸入するとともに、カメラ本体内で温められた空気を強制的に排出するようにしている。特許文献２では、外部の空気を吸気する吸気部と、内部の空気を外部へ排出する排気部を設けた構成が記載されている。
【０００６】
あるいは、特許文献３に記載されているカメラヘッド（レンズユニット）では、ＣＣＤ（撮像素子）で発生した熱が伝導される放熱部材をレンズ鏡銅の後方に設けており、さらに放熱部材には、その外周に放熱フィンが一体に形成されている。これによって、ＣＣＤで発生した熱が効率良く放熱されるようになっている。また、特許文献４では、金属部品である放熱部材を、撮像素子を囲うように配置し、撮像素子で発生した熱が放熱部材を介して放熱されるようにしている。さらにまた、特許文献５に記載されているカメラシステムでは、内部の温度が所定温度を超えているか否かを判定する温度判定手段と、撮像素子を冷却する冷却手段とを備えており、内部の温度が所定温度を超えていると温度判定手段が判定したときに、冷却手段を作動させるようにしている。
【特許文献１】特開平１０−２８５４４１号公報
【特許文献２】特開平９−１７２５６４号公報
【特許文献３】特願２００４−２７８７０７号
【特許文献４】特開２０００−１６２６８７号公報
【特許文献５】特開２００４−３２８０３２号
【発明の開示】
【発明が解決しようとする課題】
【０００７】
しかしながら、上記特許文献１〜５では、放熱手段や冷却手段がレンズユニット又はカメラ本体に固定されており、デジタルカメラ及びレンズユニットの使用時間などに応じてこれらの放熱手段や冷却手段を変更することができない。よって、デジタルカメラ及びレンズユニットを長時間使用するときには、放熱効果の高い大型の放熱フィンや冷却ファンなどを備えているほうが好ましいが、短時間の使用のときなどには、温度上昇が少ないため、そのような大型の部品を必要としない。またこのような放熱手段や冷却手段は、デジタルカメラ全体の重量増加にもなってしまう。
【０００８】
さらにまた、上記特許文献１〜５のような構成では、レンズユニットやデジタルカメラに固定された放熱手段や冷却手段で対応可能な条件を超えた使用状況でそれらが使用された場合、すなわち、放熱手段や冷却手段が対応可能な使用時間などを超えて使用された場合には、十分な放熱が行われずに、温度上昇が原因で画像にノイズが発生したり、撮影レンズが変形して焦点位置のズレや片ボケが発生したりすることになる。
【０００９】
本発明は上記事情を考慮してなされたものであり、使用時間及び使用形態など状況に適した放熱手段に変更可能とし、内部で発生した熱を効率的に放熱することが可能なレンズユニット及びデジタルカメラを提供することを目的とする。
【課題を解決するための手段】
【００１０】
本発明のレンズユニットは、撮影レンズ、各種機構を駆動するための電子部品、及びこれらを内蔵するレンズ鏡筒とを備え、カメラボディに着脱自在に取り付けられるレンズユニットにおいて、前記レンズ鏡筒に対して交換可能に装着される放熱手段と、この放熱手段に関する情報を識別可能な識別手段とを設けたことを特徴とする。
【００１１】
なお、前記識別手段は、前記放熱手段に設けられた記憶媒体から情報を読み取る読取手段、または前記放熱手段に形成された開口部を検出する光電センサ、または、前記放熱手段に設けられたバーコードを読み取る読取手段であることが好ましい。
【００１２】
本発明のデジタルカメラは、前記放熱手段及びレンズユニットと、このレンズユニットを着脱自在とするカメラボディとを備えたことを特徴とする。なお、前記識別手段によって識別した前記放熱手段の情報に基づいて前記レンズユニットに組み込まれた電子部品の駆動速度を切り替える制御手段を設けたことが好ましい。
【発明の効果】
【００１３】
本発明のレンズユニット及びデジタルカメラによれば、レンズ鏡筒に対して交換可能に装着される放熱手段と、この放熱手段に関する情報を識別可能な識別手段とを設けたので、使用状況に適した放熱手段に変更することが可能であり、レンズ鏡筒内の熱を効率的に放熱することできる。
【００１４】
なお、放熱手段を識別する識別手段として、記憶媒体から情報を読み取る読取手段、または開口部を検出する光電センサ、または、バーコードを読み取る読取手段を用いることで放熱手段の識別を確実に行うことが可能であり、放熱手段を識別することで、使用状況に適しているか否か判定することができ、効率的な放熱を行うことができる。
【００１５】
また、前記識別手段によって識別した前記放熱手段の情報に基づいて前記レンズユニットに組み込まれた電子部品の駆動速度を切り替える制御手段を設けているので、放熱手段の放熱効果に合わせた駆動速度で電子部品を駆動し、効率良く放熱を行うことができる。
【発明を実施するための最良の形態】
【００１６】
以下、図面を参照して本発明の第１の実施形態を適用したデジタルカメラについて説明する。図１及び図２に示すように、デジタルカメラ２は、カメラボディ３と、レンズユニット４と、放熱ユニット５とから構成される。カメラボディ３にはレンズユニット４が着脱自在であり、装着時にはカメラボディ３とレンズユニット４とが電気的に接続される。なお、図１は、レンズユニット４をカメラボディ３に装着した状態を、図２は、レンズユニット４を取り外した状態を示す。
【００１７】
さらに、レンズユニット４には、放熱ユニット５が交換自在に取り付けられる。この放熱ユニット５は、１つのレンズユニット４に対して複数種類のものが設定されており、デジタルカメラ２及びレンズユニット４の使用時間に応じて放熱効果の異なるものを選択使用することができる。
【００１８】
放熱ユニット５は、詳しくは図３に示すように、略円筒形に形成され、その外周面に放熱フィン６ａが一体に形成された放熱部材６と、この放熱部材６と一体に設けられた記憶媒体としてのＩＣタグ７とからなる。ＩＣタグ７は、周知の無線ＩＣ（半導体集積回路）からなるタグで、内部に組み込まれたアンテナを介してリーダ／ライタによる情報の読み書きを行うことができる。ＩＣタグ７には、この放熱ユニット５に関する性能情報が記憶されている。放熱部材６の内周面には、雌ネジが切られた雌ネジ部６ｂが形成されており、この雌ネジ部６ｂの後端から切り欠かれた切り欠き部６ｃにＩＣタグ７が固定されている。ＩＣタグ７は後述するＩＣタグリーダ３５によって情報が読み取られる。
【００１９】
本実施形態においては、放熱ユニット５の種類として長時間用の放熱ユニット５Ａ（図４参照）と、短時間用の放熱ユニット５Ｂ（図５参照）の２種類を設定している。長時間用の放熱ユニット５Ａは、放熱フィン６ａの面積が大きく、且つ枚数を多く形成している。これに対して短時間用の放熱ユニット５Ｂは、放熱フィン６ａの面積が小さく、且つ枚数も少なく形成しているので、長時間用の放熱ユニット５Ａよりも重量が軽くなっている。
【００２０】
レンズユニット４は、レンズ鏡筒１１の後方にレンズ側マウント部１２が固定されている。レンズ側マウント部１２には、バヨネット爪１３が形成されている。このバヨネット爪１３には接続端子１３ａ（図６参照）が設けられている。カメラボディ３の前面に設けられたボディ側マウント部１４には、バヨネット溝１６が形成されている。さらに、ボディ側マウント部１４の内側には、コイルバネ１７（図６参照）によって前方に付勢されたマウント蓋１８が設けられており、レンズユニット非装着時におけるカメラボディ３内部への塵埃の侵入を防止する。
【００２１】
レンズユニット４をカメラボディ３に装着する際には、バヨネット爪１３をバヨネット溝１６に合わせた状態でマウント蓋１８を押し込んでから回転させる。レンズユニット４を所定角度回転させるとボディ側マウント部１４のロックピン１９がレンズ側マウント部１２の図示しないピン孔と係合してレンズユニット４が位置決めされてボディ側マウント部１４に装着される。また、レンズユニット４の位置決めに伴ってレンズ側マウント部１２の接続端子１３ａがボディ側マウント部１４の接続端子１４ａ（図６参照）に接続される。
【００２２】
ボディ側マウント部１４の近傍には、ロックピン１９と連動するロック解除ボタン２１が設けられている。ロック解除ボタン２１は、レンズユニット４を取り外す際に操作されるものであり、押圧操作することによってロックピン１９を後方に移動させてロックを解除することができる。
【００２３】
カメラボディ３の上面には、撮影時に押圧操作されるレリーズボタン２２と、撮影／再生モードの切替え時に操作されるモード操作部２３とが設けられている。また、カメラボディ３の前面には、ストロボ２４が設けられ、後面には、撮影画像や各種設定条件が表示されるＬＣＤ２６、ズーム操作部２７、及び電源スイッチ２８（図６参照）とが設けられている。
【００２４】
レンズユニット４は、詳しくは図３に示すように、撮影レンズ３０、レンズ鏡筒１１、ズームレンズ駆動機構３１、フォーカスレンズ駆動機構３２、ＣＣＤ３３、実装基板３４、ＩＣタグリーダ（読取手段）（識別手段）３５、及びマウント部１２とを備えている。
【００２５】
レンズ鏡筒１１は、撮影レンズ３０、ズームレンズ駆動機構３１、フォーカスレンズ駆動機構３２、及びＩＣタグリーダ３５を保持する円筒形の鏡筒本体４１と、この鏡筒本体４１の後端を塞ぐ後端壁４２とからなる。撮影レンズ３０は、後述する固定レンズ群３０ａ，ズームレンズ群３０ｂ，及びフォーカスレンズ群３０ｃとからなる。
【００２６】
鏡筒本体４１内部の前方（図中左側）には、固定レンズ群３０ａが固定されている。固定レンズ群３０ａの後方には、ズームレンズ群３０ｂが配置されている。ズームレンズ群３０ｂは、レンズ枠４３に保持されている。レンズ枠４３の下部には貫通穴４３ａが形成され、この穴４３ａは光軸に平行なガイド棒４４に係合している。レンズ枠４３の上部には雌ネジ穴４６ａが形成されたナット部４６が一体に設けられており、このナット部４６の雌ネジ穴４６ａはボールネジ４７に螺合している。ボールネジ４７の前部にはギア４８が固定されており、このギア４８はギア４９と噛み合っている。ギア４９は、鏡筒本体４１に固定されたズームレンズ駆動モータ５０の駆動軸５０ａに固定されている。これら、レンズ枠４３、ガイド棒４４、ナット部４６、ボールネジ４７、ギア４８，４９及びモータ５０は、ズームレンズ駆動機構２７を構成し、後述するレンズユニット用システム制御部７１（図３参照）の制御に応じてズームレンズ群３０ｂを移動させる。
【００２７】
ズームレンズ駆動モータ５０としては、ステッピングモータが使用されており、ズームレンズ駆動モータ５０が駆動して駆動軸５０ａが回転すると、ボールネジ４７が回転し、ガイド棒４４に沿ってズームレンズ群３０ａが直進移動する。
【００２８】
ズームレンズ群３０ｂの後方には、フォーカスレンズ群３０ｃが配置されている。フォーカスレンズ群３０ｃは、レンズ枠５３に保持されている。このフォーカスレンズ群３０ｃを移動させるフォーカスレンズ駆動機構３２は、上述したズームレンズ駆動機構３１とほぼ同様の構成で、レンズ枠５３の貫通穴５３ａに係合するガイド棒４４、ナット部５６、ナット部５６の雌ネジ穴５６ａに螺合するボールネジ５７、ボールネジ５７の後部に固定されたギア５８、ギア５８に噛合するギア５９、その駆動軸６０ａにギア５９が固定されたフォーカスレンズ駆動モータ６０とを備えている。なお、フォーカスレンズ駆動モータ６０は、ズームレンズ駆動モータと同様にステッピングモータが使用される。フォーカスレンズ群３０ｃの後方には、ＣＣＤ３３が配置されている。ＣＣＤ３３は、実装基板３４に実装されて固定されている。また、ＣＣＤ３３の前方には、図示しないシャッタ機構や、絞り機構などが配置されている。
【００２９】
鏡筒本体４１の外周面には、雄ネジがネジ切りされた雄ネジ部４１ａが、その雄ネジ部４１ａの後端には、外側へ向かって突出する鍔部４１ｂが一体に形成されている。この雄ネジ部４１ａは、放熱部材６の雌ネジ部６ａと螺合する。この雄ネジ部４１ａに雌ネジ部６ａを螺合させて、放熱部材６の後端部６ｃが、鏡筒本体４１の鍔部４１ｂに当接する位置までネジ込ませると、鏡筒本体４１の外周面が放熱ユニット５によって覆われた装着状態となる。
【００３０】
さらに、鏡筒本体４１には、ＩＣタグリーダ３５が固定されている。このＩＣタグリーダ３５は、雄ネジ部４１ａの後方で鍔部４１ｂに近接する一部を切り欠いた開口部４１ｃの内部に固定されている。このＩＣタグリーダ３５は、レンズ鏡筒１１に放熱ユニット５が装着状態となったときに、ＩＣタグ７と対面する位置に設けられており、装着状態となった放熱ユニット５のＩＣタグ７から放熱ユニット５に関する性能情報を読み取る。
【００３１】
また、レンズ鏡筒１１の後端壁４２には、ネジ止め用ボス４２ａが形成されており、このボス４２ａにネジ６３を螺合させることによってレンズ側マウント部１２がレンズ鏡筒１１に固定されている。さらにまた後端壁４２には、開口４２ｂが形成されており、撮影レンズ３０によって集光された被写体像が開口４２ｂを通してＣＣＤ３３の受光面に結像される。
【００３２】
レンズ側マウント部１２は、円筒形のマウント基部６４、このマウント基部６４の内部に形成されたネジ止め用のボス６６、及びマウント基部６４の周囲に形成されたバヨネット爪１３を有している。さらに、マウント基部６４の背面側には、凹部６４ａが形成されている。実装基板３４は、レンズ側マウント部１２の外形とほぼ相似する形状で、凹部６４ａに嵌め込まれる。
【００３３】
実装基板３４は、レンズ側マウント部１２の凹部２６に嵌め込まれ、ボス６６にネジ６７を螺合させることによりネジ止めなどでレンズ側マウント部１２に固定される。なお、実装基板３４は、剛性を有するリジット基板が好ましい。この実装基板３４には、撮影レンズ３０と対面する側の実装面にＣＣＤ３３が実装されている。この実装基板３４には、ＣＣＤ３３を駆動する駆動回路やデータ通信を行う回路など、レンズユニット４を構成する電気的部品の殆どが実装されている。なお、この実装基板３４のＣＣＤ３３とは反対側の実装面には、接続端子１３ａ（図６参照）が実装されている。
【００３４】
図３にデジタルカメラ２の電気的構成を示す。上述したズームレンズ駆動モータ５０は、ズームモータ用ドライバ７０に接続されており、このドライバ７０を介してレンズユニット用システム制御部７１（以下、システム制御部７１）によって駆動を制御されている。フォーカスレンズ駆動モータ６０は、フォーカスモータ用ドライバ７２に接続されており、このドライバ７２を介してシステム制御部７１によって駆動を制御されている。
【００３５】
本実施形態においては、レンズユニット４に組み込まれたズームレンズ駆動モータ５０及びフォーカスレンズ駆動モータ６０の駆動モードとして、高速駆動モードと低速駆動モードの２つが設定されており、システム制御部７１は、放熱ユニット５の性能情報に応じてこれらの駆動モードを切り替えるように制御を行う。なお、この高速駆動モードと低速駆動モードとを切り替える制御の仕方としては、例えば、高速駆動モードのときには、モータ５０，６０を駆動するときの駆動パルスの間隔を短くし、低速駆動モードのときには、駆動パルスの間隔を長くするようにドライバ７１，７２の制御を切り替えるようにすればよい。
【００３６】
ＣＣＤ３３は、ＣＣＤドライバ７３に接続されており、ＣＣＤドライバ７３を介してシステム制御部７１によって駆動を制御される。ＣＣＤ２１は、光学的な被写体画像を電気的な撮像信号に変換して出力する。撮像信号はアンプ７４で適当なレベルに増幅された後、Ａ／Ｄ変換回路７５によってデジタル変換されて画像データとなる。この画像データは、シリアルドライバ７６を介してカメラ本体３側へと送信される。システム制御部７１では、カメラ本体用システム制御部８５（以下、システム制御部８５）からの指令に基づいてレンズユニット側の撮影処理を管制している。
【００３７】
レンズユニット４からの画像データは、シリアルドライバ７７を介してメモリ７８に書き込まれる。信号処理部７９は、メモリ７８から画像データを読み出し、階調変換、ホワイトバランス補正、γ補正等の各種画像処理を施す。画像処理が施された画像データはＬＣＤドライバ８０へ入力され、ＬＣＤ２６に画像として表示される。
【００３８】
レリーズボタン２２が押圧操作されたときには、メディアコントローラ８２の制御によって、画像処理が施された画像データが記録メディア８３に記録される。また、レリーズボタン２２が押圧操作されると、撮影環境からの光量に応じてストロボ２４が作動する。システム制御部８５は、システム制御部７１に指令を送るとともに、カメラ本体側の撮影処理、画像表示処理、記録処理等を管制している。システム制御部７１には、レリーズボタン２２、モード操作部２３、ズーム操作部２７、電源スイッチ２８が接続されている。
【００３９】
カメラ本体３にはバッテリ８６が配置され、カメラ本体３の各部に電力を供給している。また、このバッテリ８６は、マウント接点を介してレンズユニット４に接続されており、レンズユニット４の各部にも電力を供給している。
【００４０】
上記構成の作用について図７に示すフローチャートに沿って説明する。カメラボディ３の電源スイッチ２８を操作してデジタルカメラ２の電源をオン状態とすると、先ず、カメラ本体側システム制御部６１及びレンズユニット側システム制御部７１が起動状態となり、次にシステム制御部６１の制御によってＩＣタグリーダ３５が作動して、レンズユニット４に取り付けられた放熱ユニット５のＩＣタグ７から性能情報を読み取る。ＩＣタグ７から放熱ユニット５の性能情報を読み取ったシステム制御部６１は、その性能情報から放熱ユニット５の種類を識別し、その放熱ユニット５の種類に応じた駆動速度で、レンズユニット４に組み込まれた各種機構及び駆動回路の制御を行うように駆動モードを切り替える。すなわち、上述の性能情報から長時間用の放熱ユニット５Ａであると判別されたときには、高速駆動モードに設定し、また短時間用の放熱ユニット５Ｂであると判別されたときには、低速駆動モードとなるように設定が切り替えられる。
【００４１】
そして、長時間用の放熱ユニット５Ａが装着された状態でデジタルカメラ２を使用するときには、上述の性能情報に伴なった駆動モードの切り替えにより、高速駆動モードに設定されており、この高速駆動モード下では、ズームレンズ群３０ｂ及びフォーカスレンズ群３０ｃの移動が高速駆動で行われるようになっている。そして、モード操作部２３の操作により撮影モードが選択されている場合、フォーカスレンズ３０ｃが高速駆動によって移動して撮影レンズ３０のピント合せが行われる。また、ズーム操作部２７の操作によりズーム倍率が変更されたときには、ズームレンズ群３０ｂがやはり高速駆動によって移動されるようになる。これによって、消費電力が高くなり、各部品から熱が発生してくることがあるが、この高速駆動モードのときには長時間用の放熱ユニット５Ａが装着されているので、十分な放熱効果を得ることができる。よって、レンズユニット４内の温度上昇を抑制することが可能である。
【００４２】
一方、短時間用の放熱ユニット５Ｂが装着された状態で、デジタルカメラ２を使用するときには低速駆動モードに設定されており、この低速駆動モード下では、ズームレンズ群３０ｂ及びフォーカスレンズ群３０ｃの移動が低速駆動で行われる。この低速駆動を行っているときには、上述の高速駆動のときと比較して消費電力が低く、各部品からは殆ど熱が発生することがない。よって、短時間用の放熱ユニット５でも十分な放熱効果が得られる。また、短時間用の放熱ユニット５を使用することでデジタルカメラ２全体の重量軽減となり、ユーザの負担を減らすことができる。
【００４３】
上記実施形態では、放熱ユニットの種類によって、高速駆動と低速駆動とを切り替えているが本発明はこれに限らず、放熱ユニットの装着状態及び非装着状態の間で駆動を切り替えるようにしてもよい。
【００４４】
なお、上記実施形態においては、放熱ユニットに組み込まれ、放熱手段の情報が記憶された記憶媒体としてＩＣタグを例に上げて説明しているが、本発明はこれに限るものではなく、例えば不揮発性メモリや、磁性体フィルムなど記憶情報を書き込むものであれば良く、これらを読み取る読取手段をレンズユニット側に設けるようにすればよい。また、放熱ユニット側の記憶媒体からレンズユニット側の読取手段へ信号を送信する構成としては、ＩＣタグのような非接触式の送信を行うものに限らず、放熱ユニットが装着状態となったときに接触する一対の接続端子をレンズユニット及び放熱ユニットの双方に設け、これらの接続端子を介して信号を読み取る構成にしてもよい。
【００４５】
また、放熱手段に関する情報を識別する識別手段としては、記憶媒体の情報を読み取る読取手段に限らず、例えば放熱手段に設けたバーコードを読み取るバーコードリーダなどでもよいし、放熱手段のいずれかに開口を設けておき、それらの開口の有無を検出するフォトセンサなどの光電センサをレンズユニットに備えるようにして、その開口の有無によって放熱ユニットの種類を識別してもよい。あるいは、放熱手段の種類によってそれぞれ開口面積または開口部の個数が異なるように形成にして、それらの開口面積または個数によって放熱ユニットの種類を識別してもよい。
【００４６】
また、上記実施形態では、放熱ユニット５をレンズユニット４に対して着脱自在の構成としているが、これに限るものではない。例えば、放熱ユニット５をレンズユニット４に対して着脱自在ではなく、レンズユニット４の外周面に取り付けられた状態を保持し、内周面の雌ネジ部と、レンズ鏡筒の雄ネジ部のリードに従って伸縮自在とするような構成としてもよい。この場合、例えば図８（Ａ）に示す伸長状態と、図８（Ｂ）に示す収縮状態の間で放熱ユニットが移動自在として、図８（Ａ）に示す伸長状態のときは低速駆動モードとし、図８（Ｂ）に示す収縮状態のときは高速駆動モードとするように、駆動速度を切り替えるようにすればよい。
【００４７】
あるいは、上記実施形態においては、レンズユニット４の温度上昇を防ぐ放熱手段として、放熱フィンを有する放熱部材を例に上げて説明しているが、本発明はこれに限るものではなく、冷却用のファン及びこのファンを駆動する駆動機構を設け、冷却ファンの回転によって強制的に冷却を行う放熱ユニットを構成してもよい。またこの場合、冷却ファンの性能の違いによって上記実施形態と同様に長時間用や短時間用など複数の放熱ユニットを設定して、その情報をＩＣタグに予め記憶させておくようにすればよい。また、放熱ユニットの構成としては、ペルチェ素子などの冷却・温度制御機能を持つ電子部品を備えたものでもよい。またこれら冷却ファン、ペルチェ素子、放熱フィンなどそれぞれ異なる複数の放熱手段を有する放熱ユニットをレンズユニットに対して交換可能とする構成としてもよく、これらの放熱手段のうち、放熱効果の高いものを長時間用、放熱効果の低いものを短時間用というように設定すればよい。またこれらの放熱手段を個々に備えたものではなく、例えば放熱フィンと冷却ファンとを備えたものなど、複数の放熱手段を一体に設けた構成の放熱ユニットとしてもよい。
【００４８】
また、放熱ユニットを装着する手段としては、雌ネジ部と雄ネジ部との螺合によるネジ結合のものに限らず、例えば磁石結合による構成としてもよい。この場合、少なくとも一方に磁石を内蔵し、他方に磁石又は金属を固定することによって、これらの間で働く磁力によって放熱ユニットをレンズユニットに固定して装着するようにすればよい。また、これら以外にも放熱ユニットとレンズユニットにそれぞれ設けた一対の爪結合部で、爪係止させるようにするなど、放熱ユニットが所定位置でレンズユニットに装着できるものであればどのような構成でもよい。
【００４９】
さらにまた、上記実施形態では、レンズユニットに装着する放熱手段を交換可能とし、複数種類の放熱手段のなかからいずれか１つをレンズユニットに装着したときに、それぞれの放熱手段に設けられた記憶媒体などから放熱手段の種類を判別しているが、本発明はこれに限るものではなく、例えば複数の放熱手段のなかから２つ以上のものを装着可能とする構成にしてもよい。この場合例えば、１つの放熱手段が装着された状態と、この状態からさらに放熱手段が追加されて２つ以上の放熱手段が装着された状態とで、高速駆動モードと低速駆動モードとを切り替えるように制御を行うようにすればよい。
【００５０】
さらに、上記実施形態においては、高速駆動モードと低速駆動モードとの切り替えにおいて、モータ５０，６０の駆動速度を切り替えるように制御を行っているが、本発明はこれに限るものではなく、例えば、レンズユニット４に組み込まれた撮像素子の駆動パターンを高速駆動と低速駆動とで切り替えるようにしてもよい。この場合、例えば動画撮影機能を設定し、高速駆動モードのときには秒間当たりの撮影コマ数を多く、そして低速駆動モードのときには秒間当たりの撮影コマ数を少なくするように撮像素子の駆動パターンを切り替えて制御すれば消費電力に差が付くこととなり、温度上昇に違いが出るので、上記実施形態と同様の効果を得ることができる。また、動画撮影機能が設定されている場合、撮像素子の有効画素数を切り替えて制御することもできる。すなわち、高速駆動モードでは画素数を多く設定し、低速駆動モードでは画素数を少なく設定するように切り替えを行うようにすればよい。また、駆動速度の切り替えを行うものとしては、モータや撮像素子などに限らず、消費電力が大きく発熱源となる電子部品であれば上記実施形態と同様の効果を得ることができる。なお、上記実施形態では、レンズユニット４に組み込まれる撮像素子としてＣＣＤを例に上げて説明したが、本発明はこれに限らずＣＭＯＳなど他の撮像素子でもよい。
【００５１】
なお、上記実施形態においては、レンズユニット４に装着された放熱ユニット５の種類によって駆動速度の切り替えを行うように制御を行っているが、本発明はこれに限らず、例えば、レンズユニット４に装着された放熱ユニット５の種類を識別手段で識別した後、その識別結果をＬＣＤ２６に表示するようにしてもよい。あるいは、放熱手段のうち、短時間用のものが装着されている場合には、ユーザへの警告として音や点滅表示などで示すように制御してもよい。
【００５２】
また、光学系の構成及び配置は上記実施形態に限定されるものではない。例えば、被写体光をプリズムで反射させる屈曲タイプの光学系の場合にも本発明を適用することができる。
【００５３】
上記実施形態では、レンズユニットが着脱自在なレンズ交換式のデジタルカメラを用いて説明を行ったが、レンズユニットとカメラボディが一体化された形態のデジタルカメラにも本発明を適用することができる。さらには、デジタルカメラ以外のカメラにおいても本発明を適用することができる。
【図面の簡単な説明】
【００５４】
【図１】デジタルカメラの外観斜視図である。
【図２】レンズユニット及び放熱ユニットをカメラボディから取り外した状態のデジタルカメラの外観斜視図である。
【図３】デジタルカメラの要部断面図である。
【図４】長時間用の放熱ユニットの一例を示す斜視図である。
【図５】短時間用の放熱ユニットの一例を示す斜視図である。
【図６】デジタルカメラの電気的構成の概略を示すブロック図である。
【図７】デジタルカメラを使用するときのシーケンスを示すフローチャートである。
【図８】別の実施例を示す説明図である。
【符号の説明】
【００５５】
２  デジタルカメラ
３  カメラボディ
４  レンズユニット
５  放熱ユニット
６  放熱手段
６ａ  放熱フィン
７  ＩＣタグ（記憶媒体）
１１  レンズ鏡筒
３０  撮影レンズ
３３  ＣＣＤ（撮像素子）（電子部品）
３５  ＩＣタグリーダ（読取手段）
【図１】
2006352668.tif 000003
【図２】
2006352668.tif 000004
【図３】
2006352668.tif 000005
【図４】
2006352668.tif 000006
【図５】
2006352668.tif 000007
【図６】
2006352668.tif 000008
【図７】
2006352668.tif 000009
【図８】
2006352668.tif 000010